(57)【要約】【課題】医用装置によって撮影や治療を受ける被検者の取り違えを防止する。【解決手段】医用装置で医用画像を撮影しまたは治療する被検者に関する情報や、医用画像の撮影条件または治療条件に関する情報のうち、少なくとも被検者名を表示する表示装置６を、当該医用装置の近傍に設けた。このように、撮影、治療システム上に設定された被検者氏名を表示装置に表示することにより、これを被検者自身または付き添い人によって確認できるので、被検者の取り違えが確実に防止される。【選択図】      図１
2004290298.tif 000002
【特許請求の範囲】
【請求項１】
被検者を撮影する、または被検者を治療するための医用装置本体と、
前記医用装置本体の撮影条件又は治療条件の情報及び前記被験者の情報を入力する入力手段と、
前記入力手段で入力された情報から前記被検者の情報に関する少なくとも一部の情報を抽出する被験者情報抽出手段と、
前記抽出された被検者の情報を表示する表示装置と、
を具備することを特徴とする医用装置。
【請求項２】
前記被験者情報抽出手段は、前記被検者の名前を抽出することを特徴とする請求項１記載の医用装置。
【請求項３】
前記入力手段は、前記医用装置本体の設置されている室とは異なる室に設けられていることを特徴とする請求項１記載の医用装置。
【請求項４】
前記表示装置は、前記被検者が視認できる位置に設けられていることを特徴とする請求項１記載の医用装置。
【請求項５】
前記医用装置本体は、前記被験者を挿入するための開口を形成する開口部を備え、前記表示装置は、前記開口部または前記開口部近傍のいずれかに設けられていることを特徴とする請求項４記載の医用装置。
【請求項６】
前記表示装置は、前記医用装置本体の設置されている室内に設けられていることを特徴とする請求項１記載の医用装置。
【請求項７】
前記表示装置は、前記被検者が出入りする出入口に対峙する位置に設けられていることを特徴とする請求項６記載の医用装置。
【請求項８】
前記表示装置は、前記医用装置本体の設置されている室の入口近傍またはこの室に隣接する前記被検者用の更衣室内に設けられていることを特徴とする請求項１記載の医用装置。
【請求項９】
前記表示装置は、液晶または発光素子を用いたものであることを特徴とする請求項１記載の医用装置。
【請求項１０】
前記入力手段による前記被験者の情報を設定した後、前記被検体者を確定する確定手段をさらに備え、
前記表示装置は、前記確定手段による前記被検者の確定に基づき、前記被検者の情報を表示することを特徴とする請求項１記載の医用装置。
【請求項１１】
前記被検者の情報を音声に変換する音声変換手段をさらに備えることを特徴とする請求項１記載の医用装置。
【請求項１２】
前記表示装置は、撮影または治療の終了に伴い、前記被検者の情報の表示を消すことを特徴とする請求項１記載の医用装置。
【請求項１３】
前記表示装置は、撮影または治療の開始に伴い、前記被検者の情報の表示から、撮影又は治療の進行状況または前記被検者への指示事項に変更して表示することを特徴とする請求項１記載の医用装置。
【請求項１４】
前記医用装置本体は、前記被検体の画像を撮影する医用診断画像装置本体であることを特徴とする請求項１記載の医用装置。
【請求項１５】
前記医用診断画像装置本体は、Ｘ線診断装置本体、Ｘ線コンピュータ断層撮影装置本体、磁気共鳴イメージング装置本体、核医学装置本体のいずれかであることを特徴とする請求項１４記載の医用装置。
【請求項１６】
前記表示装置に表示された前記被検者の情報を、前記医用画像装置本体で撮影された前記医用画像に記録する記録手段をさらに有することを特徴とする請求項１４記載の医用装置。
【請求項１７】
前記医用装置本体は、放射線治療装置本体、衝撃波治療装置本体、温熱治療装置本体のいずれかであることを特徴とする請求項１記載の医用装置。
【請求項１８】
前記表示手段は、プリスキャンと本スキャンの間に待機を示す情報を表示することを特徴とする請求項１記載の医用装置。
【請求項１９】
被検者を撮影する、または被検者を治療するための医用装置本体と、
前記被検者の名前を表示する表示装置と、
前記表示装置に表示された前記被験者の名前が正しいかどうかを前記被験者自身又は前記被験者近傍の者が確認したことを操作者に報知する報知手段と、
を具備することを特徴とする医用装置。
【請求項２０】
前記表示装置は、前記表示装置に表示された前記被験者の名前が正しい場合には、前記被験者の名前の表示を消すことを特徴とする請求項１９に記載の医用装置。
【請求項２１】
前記表示装置に表示された前記被験者の名前が正しいと確認されるまで、前記被験者の撮影又は治療を禁止する禁止手段をさらに備えることを特徴とする請求項１９記載の医用装置。
【請求項２２】
被検者を撮影する、または被検者を治療するための医用装置本体の撮影条件又は治療条件の情報及び前記被験者の情報が入力されるステップと、
前記入力された情報から前記被検者の情報に関する少なくとも一部の情報を抽出するステップと、
前記抽出された被検者の情報を表示手段に表示させるステップと、を具備することを特徴とする医用装置の制御方法。
【発明の詳細な説明】
【０００１】
【発明の属する技術分野】
本発明は、被検者の医用画像を収集する医用画像診断装置や被検者の治療を行う治療装置などの医用装置およびその制御方法に関する。
【０００２】
【従来の技術】
疾病の診断、経過観察、或いは治療などのために、例えば、Ｘ線診断装置、Ｘ線コンピュータ断層撮影装置（以下、Ｘ線ＣＴ装置と称する。）、磁気共鳴イメージング装置（以下、ＭＲＩ装置と称する。）、核医学装置、放射線治療装置、衝撃波治療装置、温熱治療装置などの大型の医用装置が多用されて、医療の高度化が図られている。この内、Ｘ線診断装置、Ｘ線ＣＴ装置、ＭＲＩ装置および核医学装置は、主に診断用の医用画像を収集するためのものであり、放射線治療装置、衝撃波治療装置および温熱治療装置は、患者の病巣部などを治療するために用いられるものである。
そして、これらの医用装置を設置して運用する病院などの現場は、システム化されるとともに省力化も進み、医療スタッフの業務も分担化されるようになって来ている。また、これら各医用装置は、装置毎に専用の検査室あるいは治療室に設置されるのが一般的であり、被検者が自身で検査室あるいは治療室に入り、またはストレッチャーと呼ばれる搬送用寝台に載せられた状態で、看護婦などの医療スタッフによって検査室あるいは治療室に搬入されて、医用画像の収集や治療が実施される。このような状況の中で、医療スタッフが被検者の名前を確認し、当該被検者に対して医師から指定された医用画像を収集したり、治療を実施することになる。
【０００３】
医用画像の収集や治療を行う際には、事前に医用装置に、被検者の情報（被検者ＩＤ、氏名、性別、生年月日など）や撮影または治療に関する条件の情報などを入力しておくことができる。なお、従来、これらの諸条件を入力・参照する入力参照手段を、操作卓とガントリの２箇所に設けた医用画像診断装置がある。（例えば特許文献１参照。）この操作卓とガントリの２箇所に設けた入力参照手段は、同一の機能を備えたいわゆるダブルコンソールである。
また、この他にも、個人のデータを書き込んだ非接触データキャリアを、当該個人の身体の一部に直接取付けておき、この非接触データキャリアに書き込まれた個人データを、携帯可能な読取装置で読み取ることにより、個人認証を行うものであり、特に入院患者の誤認を避ける個人認証システムが提案されている。（例えば特許文献２参照。）
【特許文献１】
特開平５−２６９１１７号公報（第３頁、第１図）
【特許文献２】
特開２０００−３１１１９４号公報（第２頁、第１図）
【発明が解決しようとする課題】
しかしながら、上記ダブルコンソールを用いて被検者の名前を確認する場合、多忙な業務をもつ医療スタッフ自身が、被検者の情報（被検者ＩＤ、氏名、性別、生年月日など）および撮影・治療に関する条件の情報等の情報から、被検者の情報を探さなければならない。つまり、例えば、Ｘ線ＣＴ装置の場合には、被検者の情報と、撮影領域、Ｘ線管の管電流等の設定、撮影部位、被検者のガントリへの挿入方向（足から挿入するのか、頭から挿入するのか）等の撮影に関する多大な条件の情報から被検者の情報を探すことになる。また、ＭＲＩ装置の場合においても、撮影領域、撮影パルスシーケンス（撮影パルスシーケンスの繰り返し時間等の各値）、撮影部位、被検者のガントリへの挿入方向等の撮影・治療に関する多大な条件の情報から被検者の情報を探さなければならない。
【０００４】
具体的には、操作者は、撮影装置のある部屋の外にある操作卓の入力装置から撮影条件等の情報および被検者の情報を入力する。次に、撮影装置のある部屋にいる医療スタッフが、ガントリに設けられた入力参照手段を用いて、撮影される被検者の撮影条件等の情報および被検者の情報を検索し、さらにその中から被検者の情報を探すことになる。すなわち、従来のダブルコンソールは、特に区別なく同一機能を備える構成となっていたため、被検者の情報を確認するには非常に使用しにくいものであった。
また、個人認証システムの導入には、病院側として多大の設備投資や作業量が発生することになるとともに、ランニングコストも嵩むという新たな問題が発生することになる。
そこで、本発明は上記課題を解決し、より簡単な操作で確実に患者などの取り違えを防止することができる医用装置を提供することを目的する。
【０００５】
【課題を解決するための手段】
上述の課題を解決するため、請求項１に記載の発明は、被検者を撮影する、または被検者を治療するための医用装置本体と、前記医用装置本体の撮影条件又は治療条件の情報及び前記被験者の情報を入力する入力手段と、前記入力手段で入力された情報から前記被検者の情報に関する少なくとも一部の情報を抽出する被験者情報抽出手段と、前記抽出された被検者の情報を表示する表示装置と、を具備することを特徴とする。
また、請求項１９に記載の発明は、被検者を撮影する、または被検者を治療するための医用装置本体と、前記被検者の名前を表示する表示装置と、前記表示装置に表示された前記被験者の名前が正しいかどうかを前記被験者自身又は前記被験者近傍の者が確認したことを操作者に報知する報知手段と、を具備することを特徴とする。
また、請求項２２に記載の発明は、被検者を撮影する、または被検者を治療するための医用装置本体の撮影条件又は治療条件の情報及び前記被験者の情報が入力されるステップと、前記入力された情報から前記被検者の情報に関する少なくとも一部の情報を抽出するステップと、前記抽出された被検者の情報を表示手段に表示させるステップと、を具備することを特徴とする。
【０００６】
【発明の実施の形態】
以下、本発明に係る医用装置の種々の実施の形態について、図１ないし図６を参照して詳細に説明する。
図１は、本発明に係る第１の実施の形態における医用装置の構成図である。この図には、病院などの検査室１内に設置された周知のＸ線ＣＴ装置の架台２と被検者を載せるための寝台３（以下これらを合わせてＸ線ＣＴ装置本体７と呼ぶ）とが斜視図で示されている。また、検査室１に隣接する操作室４には、Ｘ線ＣＴ装置本体７を制御するためのコンソール５が示されている。そして、Ｘ線ＣＴ装置の架台２の表面には表示装置６が設けられている。なお、図中破線は、コンソール５と架台２、寝台３、表示装置６とを結ぶ信号ラインを示したものである。この表示装置６は、Ｘ線ＣＴ装置本体７で検査を受けようとしている被検者の情報、例えば被験者の氏名を表示するために設けられたものである。そして、表示装置６としては、カラー液晶表示装置や発光ダイオードなどの発光素子を用いたものが好適であるが、その他公知の種々の表示装置を採用することができる。ただし、液晶表示装置や発光ダイオードなどの発光素子を用いた場合には、被検者の氏名を漢字、カタカナ、ローマ字、英語など任意の形式で容易に表示できるとともに、例えば男女別に色を違えて表示することも可能であり、後述する被検者の認識を極めて容易とすることができる。
【０００７】
このようなＸ線ＣＴ装置の構成の詳細を図２に示す。図１と図２を参照しながら、Ｘ線ＣＴ装置に適用した本発明の医用装置について更に説明する。
すなわち、Ｘ線ＣＴ装置の架台２には、寝台３上の天板３１に寝かせた被検者Ｐを挿入するための開口を形成する開口部２１が略中央部に形成され、架台２の表面はカバー２２で覆われており、通常外部から架台２の内部を見ることはできない。架台２の内部には、開口部２１に挿入される被検者Ｐを間にして、Ｘ線管２３とＸ線検出器２４とが対向して配置されており、このＸ線管２３に管電圧、管電流を与える高圧発生部２５、Ｘ線検出器２４で検出した被検者ＰのＸ線透過データを収集するデータ収集部２６、Ｘ線管２３とＸ線検出器２４とを、被検者Ｐの周りに一体となって回転させる回転駆動部２７などが設けられている。また、寝台３は、寝台駆動部３２を有し、この寝台駆動部３２によって、天板３１を長手方向へ移動させ、開口部２１内の所定の撮影位置へ被検者Ｐを送り込むようになっている。
【０００８】
コンソール５には、データ収集部２６で収集された被検者のＸ線透過データを基に画像を再構成する画像再構成部５１と、データ収集部２６および画像再構成部５１を始め、高圧発生部２５や回転駆動部２７、寝台駆動部３２など、Ｘ線ＣＴ装置を構成する各構成ユニットを制御する中枢的な機能を果たすコンピュータやメモリなどを有するシステム制御部５２が設けられている。さらに、このシステム制御部５２に対して操作者が各種設定値や指示事項などを入力するための操作部５３や、この操作部５３による入力画面を表示したり再構成された画像を表示するモニタ５４も設けられている。
次に、本発明に係る第１の実施の形態におけるＸ線ＣＴ装の動作を、図３を参照して説明する。
図３は、Ｘ線ＣＴ装置によって被検者Ｐの医用画像の収集を行う際の手順を示したフローチャートである。先ず撮影に先立ち、予め被検者Ｐの被検者ＩＤ、氏名、性別、生年月日などの被検者情報を、モニタ５４に表示される入力画面を見ながら、操作者が操作部５３から入力し、システム制御部５２のメモリに記憶させる（ステップ１）。なお、当日複数の被検者の撮影が予定されている場合は、予定されている全ての被検者の情報が予め入力されていてもよい。
【０００９】
次に、ステップ２として、操作者は当該被検者に対応した撮影条件等の検査プランなどの入力を行う。この検査プランの入力後、操作者は操作部５３により被検者情報入力および撮影条件の確定操作を行う。この確定操作に応じて、システム制御部５２は、撮影条件及び被験者情報から被検者の氏名のみを自動的に抽出し、抽出した被験者氏名を、Ｘ線ＣＴ装置の架台２の表面に設けられている表示装置６に表示する（ステップ３）。なお、本実施の形態では、被検者氏名のみを抽出する場合について示すが、被験者Ｐの氏名に加え、あるいはその代わりに生年月日、被検者ＩＤ、性別等の被験者情報を抽出してもよい。
次に、医療スタッフが、待合室に待機している被検者Ｐを検査室１へ呼び入れ、呼ばれた被検者Ｐが検査室１に入る。そこで、被検者Ｐは、検査室１に入ったときに、先ず、Ｘ線ＣＴ装置の架台２の表面に設けられている表示装置６に表示されている自分の氏名を見ることになる。よって、自分自身で表示装置６に表示されている自分の氏名を確認し、検査を受ける者が自分であることを認識できる。すなわち、操作者側が今検査しようとしている被検者と、被検者本人との一致が確認されるわけである。そして、被検者Ｐは、例えば検査室１の隅に、カーテンなどで仕切って設けられた更衣コーナ１１で検査衣に着替え、着替えが終わると医療スタッフの指示に従い、寝台３に載る。
【００１０】
次いで、検査室に入った操作者は医療スタッフと共に、被検者Ｐに撮影に関する説明等を行い、寝台３上（すなわち天板３１上）の所定位置に寝かせて位置決めをする。これで撮影準備が整ったので、操作者及び医療スタッフは操作室４へ移り、所定の撮影ルーチンに従って撮影を実施する（ステップ４）。所定の撮影（医用画像の収集）が終了し、再構成された画像を確認して問題があれば撮影を継続し、問題がなければ操作者は操作部５３により撮影終了の操作を行う（ステップ５）。これによってシステム制御部５２は、所定の撮影ルーチンをクリヤし、同時に、表示装置６に表示されていた被検者Ｐの氏名を消滅させる（ステップ６）。そして、被検者Ｐに医療スタッフから撮影の終了が告げられ、被検者Ｐは、検査衣から私服に着替えを済ませて検査室１から退出する。
その後、Ｘ線ＣＴ装置によって収集された医用画像は、Ｘ線フィルムに写し込まれたり、あるいは読影用のモニタに表示するなどして、専門の医師によって読影され、所見を記したレポートが作成される。このとき、Ｘ線フィルムに写し込まれる医用画像やモニタに表示される医用画像には、システム制御部５２による制御に基づいて、被検者Ｐの氏名、被検者ＩＤなどの被検者情報も表示されることになる。また、作成されるレポートにも同様の被検者情報が表示される。
【００１１】
このように、表示装置６には、Ｘ線ＣＴ装置での撮影ルーチンとして、システム制御部５２に入力された被検者情報から、患者の氏名が抽出され、表示されるので、被検者Ｐが自分自身で検査室１に入室可能なときは、被検者Ｐ自身で表示装置６に表示されている氏名を確認することにより、被検者の取り違えが起こることはない。万一、表示装置６に表示されている氏名が自分の氏名でなければ、その旨医療スタッフへ申し出ることによって、速やかに間違いが正される。また、被検者がストレッチャーに載せられて検査室１に運ばれたような場合には、付き添ってきた医療スタッフまたは付き添い人が、表示装置６に表示されている氏名を確認することによって、被検者の取り違えを未然に防止することができる。
また、Ｘ線フィルムに写し込まれる医用画像やモニタに表示される医用画像、および読影結果を記したレポートにも、撮影ルーチンとして入力されている被検者Ｐの氏名、被検者ＩＤなどの被検者情報が表示されるので、検査後においても被検者Ｐと読影結果とを一致させることができる。
【００１２】
以上、本発明の医用装置の第１の実施の形態について、Ｘ線ＣＴ装置の架台２の表面に設けた表示装置６に、被検者Ｐの氏名を表示する場合について説明したが、本発明は、他の種々の形態で実施することができる。
以下、他の種々の形態で実施の形態について説明する。
図４は、Ｘ線ＣＴ装置の架台２の横から見た断面図を模式的に示したものである。架台２の開口部２１の周囲には、ゆるやかな傾斜がつけられており、この傾斜に表示装置６が設けられている。従って、天板３１に寝かせられた被検者Ｐが開口部２１に挿入されるときに、被検者Ｐの視野にはいる。なお、開口部２１内に設けられても良い。図４には、両方の面の傾斜部に表示装置６を設けたものが示されているが一方の面に設けられていてもよい。
この実施の形態では、表示装置６に図５に示すような、種々の情報を表示することができる。すなわち、検査が開始されるまでは、表示装置６に図５（ａ）に示すように、被検者の氏名が表示される。そして、検査が開始された後は、検査の進行状況や終了までの時間がわかるような表示を文字や記号などで表示したり、息止めなどの被検者への指示事項などを表示するようにしてもよい。また、この他にも例えば、Ｘ線ＣＴ装置を用いたプリスキャン（例えばスキャノ像を撮影するためのスキャン）と本スキャンの間に、操作者がスキャノ像上に本スキャン用の撮影領域等を設定している間、被験者に「待機」を示す指示事項を表示しても良い。また、図５（ｂ）は、文字で検査終了までの時間を示したものであり、（ｃ）は、例えば星のマークを時間を追って点灯して行くようにしたものである。また、（ｄ）、（ｅ）は、息止めの指示を文字で表示した状態を示したものである。このようにすれば、単に被検者の確認だけでなく、検査中の被検者の不安感を取り除くこともできる。
【００１３】
また、表示装置６は、寝台３など被検者の目につき易い部位に設けられていてもよい。
さらに他の実施の形態として、図６は、表示装置６と同様の表示装置６ａを、検査室１の壁面に設けた実施の形態を示したものであり、表示装置６ａは検査室１の出入口１２に対峙する検査室１内の壁面に設置されている。この表示装置６ａには、操作者によって入力確定操作のされた被検者の氏名が表示される。よって、被検者Ｐが出入口１２の扉１３を開けて検査室１に入ったときに、先ず、表示装置６ａが目に入り、そこに表示されている自分の氏名を確認し、検査を受ける者が自分であることを認識できる。その他の構成、作用などは図１ないし図３により説明したものと同様なので、図６には、図１と同一部分に同一符号を付してその説明は省略する。この場合も表示装置６ａは、検査室１の被検者の目につき易い場所に設けられていればよい。また表示装置６ａは、検査室１内の壁面ではなく、検査室１外の壁面（出入口付近）に設置されてもよく、さらに、専用の設置台に設置されてもよい。
【００１４】
さらに他の実施の形態として、図７は、被験者Ｐの氏名が表示された後に、被検体自身がその氏名を確認後、正しいかどうかを入力する入力装置８を設けた実施の形態を示したものである。この入力装置８は、表示装置６の近傍である架台２に設けられている。被験者は、表示されている被験者名が正しい場合には入力装置８のボタンを押す。これにより、その情報はコンソール５へ送信され、モニタ５４にそのことが表示されるので、コンソール５を操作する操作者はその被験者の氏名が表示されている被験者の氏名と一致することを認識することができる。逆に、当該被験者あるいはその近傍の者が誤った被験者名が表示されていることに気づいた場合には、入力装置８のボタンを押さない、あるいは被験者名が誤っていることを入力する他のボタンを押す。これにより、コンソール５では撮影を禁止する制御を行い、再度表示されている被験者名が正しい場合と確認されるまで撮影は行われない。なお、必ずしも被験者自身がその氏名の正誤を判断し、その結果を入力する必要はなく、被験者の氏名を確認できる位置にいる者（これがコンソール５の操作者であっても良いし、他の医療スタッフであっても良い）が表示装置６に表示されている被験者名と当該被験者が一致しているかどうかを当該被験者に尋ね、その結果を入力しても良い。
【００１５】
また、コンソール５のモニタ５４に被験者の氏名が正しいことを表示する代わりに、あるいはこれに加えて、操作者が確認できる位置（架台２２の近傍であってもよい）にランプ等を設け、被験者の氏名が正しい場合にはそのランプを点灯させるようにしても良い。
また、入力装置８のボタンが押されると、表示装置６から当該被験者の氏名の表示を消すようにしても良い。
また、本発明は、病院施設などに据付られている医用装置に限らず、例えば過疎地域での巡回検診などに活躍する、自走式車両などに医用装置を搭載した移動検診車にも適用することができる。さらに本発明は、Ｘ線ＣＴ装置に限らず、種々の医用装置に適用することができる。例えば、診断装置としては、Ｘ線診断装置、ＭＲＩ装置および核医学装置などがある。
さらに、治療装置としては、リニアアクセラレータ、マイクロトロン、ベータトロンなどの放射線治療装置、コバルト６０などを用いる放射線治療装置、対外衝撃波結石破砕装置のような衝撃波治療装置、マイクロ波や超音波によって加温する温熱治療装置などがある。
【００１６】
また、検査室や治療室に隣接して、被検者が着替えをする更衣室が設けられている場合には、この更衣室内に表示装置６ａが設置されていてもよいし、検査室や治療室の中に被検者のための更衣コーナがある場合には、その更衣コーナに表示装置６ａを設けてもよい。
さらにまた、表示装置６ａを、検査または治療を受ける被検者が待機している待合室に設けてもよい。この場合は、被検者が検査室などに入ってしまうと、表示の必要はなくなるので、検査の終了を待たずに被検者の入室を確認して表示を消滅させる手段を別に講じるのがよい。また、被検者情報を音声に変換する音声発生装置を設け、表示装置６ａへの被検者の氏名の表示に合わせて、「○○さん、お入り下さい！」のようなメッセージを音声として流すようにしてもよい。
なお、表示装置６または表示装置６ａを、単独に設けるだけでなく、これらを複数箇所に設けて、各表示装置６または表示装置６ａに同一の被検者の氏名を表示するようにすれば、より効果的である。
【００１７】
以上、本発明における種々の実施の形態について説明を行ったが、本発明は、上記実施の形態を種々組みあせて用いても良く、また趣旨を一脱しない範囲での変形も考えられる。
【００１８】
【発明の効果】
以上説明したように、本発明によれば、撮影または治療するための医用装置の近傍などに、撮影または治療を受けようとしている被検者名を表示するようにしたので、被検者自身によって、あるいは被検者に付き添ってきた付き添い人によって、被検者名を確認することができ、被検者の取り違えのような事故を確実に防止することができる。
【図面の簡単な説明】
【図１】本発明に係る医用装置の一実施の形態の構成図である。
【図２】本発明が適用される医用装置の一例として、Ｘ線ＣＴ装置の概要を示した構成図である。
【図３】本発明に係る医用装置の一実施の形態のＸ線ＣＴ装置の動作を説明したフローチャートである。
【図４】本発明の他の実施の形態を説明するために示した、Ｘ線ＣＴ装置の架台の断面図である。
【図５】表示装置への表示内容を説明した説明図である。
【図６】本発明に係る医用装置のさらに他の実施の形態の構成図である。
【図７】本発明に係る医用装置のさらに他の実施の形態の構成図である。
【符号の説明】
１  検査室
２  Ｘ線ＣＴ装置の架台
３  寝台
４  操作室
５  コンソール
６  表示装置
７  Ｘ線ＣＴ装置本体
８  入力装置
１１  更衣コーナ
２１  開口部
２２  カバー
３１  天板
５３  操作部
５４  モニタ
【図１】
2004290298.tif 000003
【図２】
2004290298.tif 000004
【図３】
2004290298.tif 000005
【図４】
2004290298.tif 000006
【図５】
2004290298.tif 000007
【図６】
2004290298.tif 000008
【図７】
2004290298.tif 000009